(57)【要約】【課題】フリップ部と本体部の相互の回転状態やレンズ蓋の開閉状態に応じて、使用するカメラの切り換えや画像表示部による表示方法の切り換えなどが可能な使い勝手の良い携帯型電子機器を提供すること。【解決手段】操作部１０３を備える本体部１０４と画像表示部１０１を備えるフリップ部１０２とを２軸ヒンジ部１０７を介して互いに回転可能に連結すると共に、２軸ヒンジ部１０７に第１カメラ１０８をフリップ部１０２に第２カメラ１０９をそれぞれ設けた携帯型電子機器において、第１カメラ１０８のレンズ部にレンズ蓋１１０を設け、レンズ蓋１１０の開閉状態に応じて、第１カメラ１０８と第２カメラ１０９のいずれか一方を動作させるように構成した。【選択図】    図１
2004214988.tif 000002
【特許請求の範囲】
【請求項１】
操作部を備えた本体部と画像表示部を備えたフリップ部とを２軸ヒンジ部を介して互いに回転可能に連結すると共に、前記２軸ヒンジ部に第１カメラを設け、前記フリップ部に第２カメラを設けた携帯型電子機器であって、
前記第１カメラのレンズ部を開閉自在に覆うレンズ蓋と、
前記レンズ蓋の開閉状態を検出するレンズ蓋開閉検出手段と、を備え、
前記レンズ蓋開閉検出手段による検出結果に応じて、前記第１カメラと前記第２カメラのいずれか一方を動作させることを特徴とする携帯型電子機器。
【請求項２】
前記レンズ蓋開閉検出手段による検出結果に応じて、前記画像表示部による表示方法を切り換えることを特徴とする請求項１記載の携帯型電子機器。
【請求項３】
前記本体部と前記フリップ部との互いの回転姿勢を検出する姿勢検出手段を備え、
前記姿勢検出手段による検出結果に応じて、前記画像表示部による表示方法を切り換えることを特徴とする請求項１記載の携帯型電子機器。
【請求項４】
操作部を備えた本体部と画像表示部を備えたフリップ部とを２軸ヒンジ部を介して互いに回転可能に連結すると共に、前記２軸ヒンジ部に第１カメラを設け、前記フリップ部に第２カメラを設けた携帯型電子機器であって、
前記本体部と前記フリップ部との互いの回転姿勢を検出する姿勢検出手段を備え、
前記姿勢検出手段による検出結果に応じて、前記第１カメラと前記第２カメラのいずれか一方を動作させると共に、前記画像表示部による表示方法を切り換えることを特徴とする携帯型電子機器。
【請求項５】
前記操作部は、使用形態を手動で選択するための手動選択手段であり、
前記手動選択手段により選択がなされた場合、その選択結果に応じて、前記第１カメラと前記第２カメラのいずれか一方を動作させることを特徴とする請求項１、２、３または４記載の携帯型電子機器。
【請求項６】
前記操作部は、使用形態を手動で選択するための手動選択手段であり、
前記手動選択手段により選択がなされた場合、その選択結果に応じて、前記画像表示部による表示方法を切り換えることを特徴とする請求項１、２、３または４記載の携帯型電子機器。
【請求項７】
前記操作部は、使用するカメラおよび前記画像表示部における表示方法を手動で切り換えるための操作手段であり、
前記操作手段が操作される度に、使用するカメラおよび前記画像表示部による表示方法を順次切り換えることを特徴とする請求項１、２、３または４記載の携帯型電子機器。
【請求項８】
当該携帯型電子機器の電源が遮断される直前に動作していたカメラおよび表示方法を初期設定情報として記憶する記憶手段を備え、
当該携帯型電子機器の電源が投入されると、前記記憶手段に記憶されている初期設定情報に従って前記第１カメラと前記第２カメラのいずれか一方を動作させると共に、前記画像表示部による表示方法を選択することを特徴とする請求項７記載の携帯型電子機器。
【発明の詳細な説明】
【０００１】
【発明の属する技術分野】
本発明は、画像表示部を備えるフリップ部と操作部を備える本体部とを２軸ヒンジ機構により互いに回転可能に連結すると共に、フリップ部と２軸ヒンジ機構にそれぞれカメラを設けた携帯型電子機器に係り、特に、フリップ部と本体部の相互の回転状態やレンズ蓋の開閉状態に応じて、使用するカメラの切り換えや画像表示部による表示方法の切り換えなどを行うようにした携帯型電子機器に関する。
【０００２】
【従来の技術】
近年、携帯電話機に代表される携帯型電子機器の多機能化は著しく、電話機能、デジタルカメラ機能、デジタルビデオカメラ機能などの多くの機能を備えた携帯型電子機器が数多く提案されている。そのうちの一つに特開２００１−１６９１６６号公報記載のものがある。
【０００３】
上記公報記載の携帯型電子機器の構成を図１８および図１９に示す。この携帯型電子機器は、液晶表示パネルからなる画像表示部２０１を備えるフリップ部２０２と、各種操作ボタンを配設した操作部２０３を備える本体部２０４とを、開閉軸２０５と回転軸２０６とからなる２軸ヒンジ部２０７により互いに回転可能に連結してなる。開閉軸２０５は、本体部２０４に対しフリップ部２０２を開閉可能に支持している。回転軸２０６は、開閉軸２０５に対して直角に設けられており、フリップ部２０２と本体部２０４とを開閉軸２０５と直交する軸回りに互いに回転自在に連結している。開閉軸２０５には使用者が見ている風景などを撮影するための第１カメラ２０８が、フリップ部２０２には使用者の表情を撮影するための第２カメラ２０９がそれぞれ設けられている。
【０００４】
この携帯型電子機器は、図１８に示したように、フリップ部２０２を略９０度開き、回転軸２０６回りに略９０度回転させて画像表示部２０１を手前に向けた状態にすることにより、ビデオカメラとして使用できる。すなわち、使用者が見ている風景を第１カメラ２０８で撮影することができる。撮影中の風景は画像表示部２０１に表示されると共に機器内部の記録メディアに記録される。
【０００５】
また、図１９に示したように、フリップ部２０２を単に開いた状態では、通常の携帯電話またはテレビ電話として使用できる。テレビ電話として使用する場合、使用者の表情を第２カメラ２０９で撮影してその画像を通話相手に送信しつつ、通話相手からの受信画像を液晶表示部２０１に表示することができる。
【０００６】
【発明が解決しようとする課題】
上述したように、上記公報記載の携帯型電子機器は、フリップ部２０２と本体部２０４との互いの回転姿勢を変えることによって、ビデオカメラとして使用したり、テレビ電話として使用したりすることができる。しかしながら、第１カメラ２０８と第２カメラ２０９の２つのカメラのうち、どちらのカメラを使用するかについては、機器の使用形態に応じて使用者が自ら判断しなければならないため、紛らわしいという問題点があった。
【０００７】
また、画像表示部２０１に画面が逆さまに表示されないように、本体部２０４に対するフリップ部２０２の回転姿勢に連動して画面の上下が切り換えるようになっているが、２つのカメラ２０８、２０９の使用状態に応じて表示方法が切り換えるようにはなっていないため、画像表示部２０１の表示能力を有効に活用できない場合があった。さらに、開閉軸２０５に設けられた第１カメラ２０８のレンズが常に露出しているため、第１カメラ２０８を使用していないときでも、第１カメラ２０８のレンズが第三者に向けられることがある。このため、第三者に不快感を与えてしまう可能性がある。
【０００８】
本発明は、上記問題点または事情に鑑みてなされたものであって、その目的は、フリップ部と本体部の相互の回転状態やレンズ蓋の開閉状態に応じて、使用するカメラの切り換えや画像表示部による表示方法の切り換えなどが可能な使い勝手の良い携帯型電子機器を提供することを目的としている。また、使用していないカメラのレンズが第三者に向けられるのを防止して、第三者に不快感を与えないようにできる携帯型電子機器を提供することも目的としている。
【０００９】
【課題を解決するための手段】
上記課題を解決するために、本発明の携帯型電子機器は、操作部を備える本体部と画像表示部を備えるフリップ部とを２軸ヒンジ部を介して互いに回転可能に連結すると共に、２軸ヒンジ部に第１カメラをフリップ部に第２カメラをそれぞれ設けた携帯型電子機器において、第１カメラのレンズ部を開閉自在に覆うレンズ蓋と、レンズ蓋の開閉状態を検出するレンズ蓋開閉検出手段と、を備え、レンズ蓋開閉検出手段による検出結果に応じて、第１カメラと第２カメラのいずれか一方を動作させるように構成した。
【００１０】
上記のように構成した携帯型電子機器によれば、レンズ蓋の開閉状態に応じて、第１カメラと第２カメラのいずれか一方が動作するので、第１カメラと第２カメラの２つのカメラのうち、どちらのカメラを使用するのかを機器の使用形態に応じて使用者が判断する手間を省くことができる。第１カメラを使用しない時にはそのレンズ部をレンズ蓋で隠すことができるので、第１カメラを使用していないときにそのレンズ部が第三者に向けられるのを防止できる。
【００１１】
また、本発明の別の携帯型電子機器は、操作部を備える本体部と画像表示部を備えるフリップ部とを２軸ヒンジ部を介して互いに回転可能に連結すると共に、２軸ヒンジ部に第１カメラをフリップ部に第２カメラをそれぞれ設けた携帯型電子機器において、第１カメラのレンズ部を開閉自在に覆うレンズ蓋と、レンズ蓋の開閉状態を検出するレンズ蓋開閉検出手段と、を備え、レンズ蓋開閉検出手段による検出結果に応じて、第１カメラと第２カメラのいずれか一方を動作させると共に、画像表示部による表示方法を切り換えるように構成した。
【００１２】
上記のように構成した携帯型電子機器によれば、レンズ蓋の開閉状態に応じて、第１カメラと第２カメラのいずれか一方が動作すると共に、画像表示部による表示方法が切り換わるので、第１カメラと第２カメラの２つのカメラのうち、どちらのカメラを使用するのかを機器の使用形態に応じて使用者が判断したり、画像表示部による表示方法を切り換えたりする手間を省くことができる。第１カメラを使用しない時にはそのレンズ部をレンズ蓋で隠すことができるので、第１カメラを使用していないときにそのレンズ部が第三者に向けられるのを防止できる。
【００１３】
また、本発明の別の携帯型電子機器は、操作部を備える本体部と画像表示部を備えるフリップ部とを２軸ヒンジ部を介して互いに回転可能に連結すると共に、２軸ヒンジ部に第１カメラをフリップ部に第２カメラをそれぞれ設けた携帯型電子機器において、本体部とフリップ部との互いの回転姿勢を検出する姿勢検出手段を備え、姿勢検出手段による検出結果に応じて、第１カメラと第２カメラのいずれか一方を動作させると共に、画像表示部による表示方法を切り換えるように構成した。
【００１４】
上記のように構成した携帯型電子機器によれば、本体部とフリップ部との互いの回転姿勢に応じて、第１カメラと第２カメラのいずれか一方が動作すると共に、画像表示部による表示方法が切り換えるので、第１カメラと第２カメラの２つのカメラのうち、どちらのカメラを使用するのかを機器の使用形態に応じて使用者が判断したり、画像表示部による表示方法を切り換えたりする手間を省くことができる。
【００１５】
また、本発明の別の携帯型電子機器は、操作部を備える本体部と画像表示部を備えるフリップ部とを２軸ヒンジ部を介して互いに回転可能に連結すると共に、２軸ヒンジ部に第１カメラをフリップ部に第２カメラをそれぞれ設けた携帯型電子機器において、第１カメラのレンズ部を開閉自在に覆うレンズ蓋と、レンズ蓋の開閉状態を検出するレンズ蓋開閉検出手段と、本体部とフリップ部との互いの回転姿勢を検出する姿勢検出手段と、を備え、レンズ蓋開閉検出手段による検出結果に応じて、第１カメラと第２カメラのいずれか一方を動作させると共に、姿勢検出手段による検出結果に応じて、画像表示部による表示方法を切り換えるように構成した。
【００１６】
上記のように構成した携帯型電子機器によれば、レンズ蓋の開閉状態に応じて、第１カメラと第２カメラのいずれか一方が動作すると共に、本体部とフリップ部との互いの回転姿勢に応じて、画像表示部による表示方法が切り換わるので、第１カメラと第２カメラの２つのカメラのうち、どちらのカメラを使用するのかを機器の使用形態に応じて使用者が判断したり、画像表示部による表示方法を切り換えたりする手間を省くことができる。第１カメラを使用しない時にはそのレンズ部をレンズ蓋で隠すことができるので、第１カメラを使用していないときにそのレンズ部が第三者に向けられるのを防止できる。
【００１７】
また、本発明の携帯型電子機器において、使用形態を手動で選択するための手動選択手段を更に備え、手動選択手段により選択がなされた場合、その選択結果に応じて、第１カメラと第２カメラのいずれか一方を動作させたり、画像表示部による表示方法を切り換えたりするように構成してもよい。
【００１８】
上記のように構成した携帯型電子機器によれば、使用者が機器の使用形態を手動で選択することにより、レンズ蓋開閉検出手段や姿勢検出手段による検出結果に拘わらず、使用者の意志で第１カメラと第２カメラのいずれか一方を動作させたり、画像表示部による表示方法を切り換えたりすることができる。
【００１９】
また、本発明の携帯型電子機器において、使用するカメラおよび画像表示部による表示方法を手動で切り換えるための操作手段を更に備え、操作手段が操作される度に、使用するカメラおよび画像表示部による表示方法を順次切り換えるように構成してもよい。
【００２０】
上記のように構成した携帯型電子機器によれば、レンズ蓋の開閉状態に応じて、第１カメラと第２カメラのいずれか一方が動作すると共に、本体部とフリップ部との互いの回転姿勢に応じて、画像表示部による表示方法が切り換わるので、第１カメラと第２カメラの２つのカメラのうち、どちらのカメラを使用するのかを機器の使用形態に応じて使用者が判断したり、画像表示部による表示方法を切り換えたりする手間を省くことができ、しかも、使用者が操作手段を操作することにより、使用するカメラおよび画像表示部による表示方法を使用者の意志で順次切り換えることができる。
【００２１】
また、本発明の携帯型電子機器において、使用するカメラおよび前記画像表示部による表示方法を手動で切り換えるための操作手段と、機器の電源が遮断される直前まで動作していたカメラおよび画像表示部における表示方法を初期設定情報として記憶しておくための記憶手段と、を備え、機器の電源が投入されると、記憶手段に記憶されている初期設定情報に従って、第１カメラと第２カメラのいずれか一方を動作させると共に、画像表示部による表示方法を選択し、操作手段が操作される度に、使用するカメラおよび画像表示部による表示方法を順次切り換えるように構成してもよい。
【００２２】
上記のように構成した携帯型電子機器によれば、機器の電源を投入すると、前回機器を使用したときに最後に動作していたカメラおよび画像表示部による表示方法の情報が記憶手段から読み出され、その情報に従って、使用するカメラおよび画像表示部による表示方法が自動選択される。その後、使用者が操作手段を操作することにより、使用するカメラおよび画像表示部による表示方法を使用者の意志で順次切り換えることができる。そして、最後に選択したカメラおよび画像表示部による表示方法の情報が記憶手段に次回の初期設定情報として保存される。
【００２３】
【発明の実施の形態】
以下、本発明に係る携帯型電子機器の実施の形態について、図面を参照しながら説明する。
【００２４】
［第１の実施の形態］
図１〜図４に、本発明に係る携帯型電子機器の第１の実施形態を示す。第１の実施形態の携帯型電子機器は、液晶表示パネルからなる画像表示部１０１を備えるフリップ部１０２と、各種操作ボタンが配設された操作部１０３を備える本体部１０４とを、開閉軸１０５と回転軸１０６とからなる２軸ヒンジ部１０７により互いに回転可能に連結してなる。開閉軸１０５は、本体部１０４に対しフリップ部１０２を開閉可能に支持している。回転軸１０６は、開閉軸１０５に対して直角に設けられており、フリップ部１０２と本体部１０４とを開閉軸１０５と直交する軸回りに互いに回転自在に連結している。開閉軸１０５には使用者が見ている風景などを撮影するための第１カメラ１０８が内蔵されている。フリップ部１０２には使用者の表情を撮影するための第２カメラ１０９が設けられている。
【００２５】
第１カメラ１０８のレンズ部には、レンズ蓋１１０が設けられている。レンズ蓋１１０は、第１カメラ１０８のレンズ部を開閉できるように、本体部１０４の側面に沿ってスライド可能に設けられている。
【００２６】
図３および図４に示すように、レンズ蓋１１０の一端部には、マグネット１１１が取り付けられている。一方、本体部１０４には、マグネット１１１が嵌合する嵌合穴１１２が形成されている。嵌合穴１１２は、図４に示すように、レンズ蓋１１０を本体部１０４の先端側（図中の矢印Ａ側）にスライドさせ、第１カメラ１０８のレンズ部を完全に開放したときに、マグネット１１１が嵌合する位置に設けられている。嵌合穴１１２の奥には、ＭＲセンサ（磁気抵抗効果素子）１１３が設けられている。ＭＲセンサ１１３の出力端子は、この携帯型電子機器内の図示しないマイコンからなる制御部の信号入力端子に接続されている。なお、マグネット１１１およびＭＲセンサ１１３は、特許請求の範囲のレンズ蓋開閉検出手段に該当する。
【００２７】
制御部は、ＭＲセンサ１１３の出力信号レベルに基づいてレンズ蓋１１０の開閉状態を検出する。すなわち、マグネット１１１が嵌合穴１１２に嵌合しているときは、マグネット１１１とＭＲセンサ１１３とが互いに最も接近し、ＭＲセンサ１１３によって検出される磁界が最大になるので、制御部は、ＭＲセンサ１１３の出力信号レベルが最大磁界検出レベルであるか否かによって、レンズ蓋１１０が開状態であるか否かを判断する。そして、レンズ蓋１１０が開状態の時は、２つのカメラのうち第１カメラ１０８だけを動作させ、レンズ蓋１１０が閉状態の時は、第２カメラ１０９だけを動作させるように制御する。
【００２８】
上記のように構成された携帯型電子機器は、図１に示すように、レンズ蓋１１０を閉状態にしたままフリップ部１０２を開くことにより、通常の携帯電話またはテレビ電話として使用できる。テレビ電話として使用する場合、使用者の表情を第２カメラ１０９で撮影してその画像を通話相手に送信しつつ、通話相手からの受信画像を画像表示部１０１に表示することができる。この使用形態では第１カメラ１０１は動作しない。
【００２９】
また、図２のように、レンズ蓋１１０を開状態にすると共にフリップ部１０２を略９０度開き、回転軸１０６回りに略９０度回転させて画像表示部１０１を手前に向けた状態にすることにより、ビデオカメラとして使用できる。すなわち、この使用形態では、使用者が見ている風景などを第１カメラ１０８で撮影することができる。撮影中の画像は画像表示部１０１に表示されると共に機器内部の記録メディアに記録される。
【００３０】
以上説明したように、第１の実施形態の携帯型電子機器によれば、レンズ蓋１１０の開閉状態に応じて、第１カメラ１０８と第２カメラ１０９のいずれか一方が動作するので、第１カメラ１０８と第２カメラ１０９の２つのカメラのうち、どちらのカメラを使用するのかを機器の使用形態に応じて使用者が判断する手間を省くことができる。また、第１カメラ１０８を使用しない時にはそのレンズ部をレンズ蓋１１０で隠すことができるので、第１カメラ１０８を使用していないときにそのレンズ部が第三者に向けられるのを防止して、第三者に不快感を与えないようにできる。
【００３１】
さらに、レンズ蓋１１０によって第１カメラ１０８のレンズ部の汚れを防止でき、落下などによる衝撃から第１カメラ１０８を保護することもできる。
【００３２】
［第２の実施の形態］
図５および図６に、本発明に係る携帯型電子機器の第２の実施形態を示す。第２の実施形態の携帯型電子機器は、図１〜図４に示したものと構成は同じであるが、携帯型電子機器内の制御部による画像表示部１０１の表示制御動作が異なる。
【００３３】
本実施形態の携帯型電子機器は、レンズ蓋１１０が閉状態の時は、２つのカメラのうち第２カメラ１０９だけを動作させると共に、図５（ａ）に示すように、第２カメラ１０９で撮影中の画像１１４を画像表示部１０１に縦画面表示する。また、レンズ蓋１１０が開状態の時は、２つのカメラのうち第１カメラ１０８だけを動作させると共に、図６（ｂ）に示すように、第１カメラ１０８で撮影中の画像１１５を画像表示部１０１に横画面表示する。ここで、縦画面表示とは、画像表示部１０１が縦長の姿勢に保持されているときに、画像を正立させて表示する表示方法をいう。横画面表示とは、画像表示部１０１が横長の姿勢に保持されているときに、画像を正立させて表示する表示方法をいう。
【００３４】
上記のように構成された本実施形態の携帯型電子機器は、図５に示すように、レンズ蓋１１０を閉状態にしたままフリップ部１０２を開くことにより、通常の携帯電話またはテレビ電話として使用できる。この使用形態では、第１カメラ１０１は動作せず、第２カメラ１０９で撮影中の画像１１４が画像表示部１０１には縦画面表示される。
【００３５】
また、図６に示すように、レンズ蓋１１０を開状態にすると共にフリップ部１０２を略９０度開き、回転軸１０６回りに略９０度回転させて画像表示部１０１を手前に向けた状態にすることにより、ビデオカメラとして使用できる。この使用形態では第２カメラ１０９は動作せず、第１カメラ１０８で撮影中の画像１１５が画像表示部１０１に横画面表示される。
【００３６】
以上説明したように、第２の実施形態の携帯型電子機器によれば、レンズ蓋１１０の開閉状態に応じて、第１カメラ１０８と第２カメラ１０９のいずれか一方が動作すると共に画像表示部１０１による表示方法が切り換わるので、第１カメラ１０８と第２カメラ１０９の２つのカメラのうち、どちらのカメラを使用するのかを機器の使用形態に応じて使用者が判断したり、画像表示部１０１による表示方法を切り換えたりする手間を省くことができる。
【００３７】
ここで、図５の使用形態における画像表示部１０１の表示可能サイズが横１７６×縦２１５［ピクセル］であるとする。この場合、図５（ａ）に示すように、横長の画像１１４を縦画面表示したのでは画像１１４の横サイズが１７６［ピクセル］に制限されるため、画像表示部１０１の表示可能領域全体を有効に活用することができない。これに対し、図６（ａ）に示すように、横画面表示することにより横２１５×縦１７６［ピクセル］の画像１１５に拡大して表示することが可能である。
【００３８】
［第３の実施の形態］
図７〜図１０に、本発明に係る携帯型電子機器の第３の実施形態を示す。第３の実施形態の携帯型電子機器は、フリップ部１０２と本体部１０４との互いの回転姿勢に応じて、第１カメラ１０８と第２カメラ１０９のいずれか一方を動作させると共に、画像表示部１０１による表示方法を切り換えるように構成されている。したがって、第１および第２の実施形態におけるレンズ蓋１１０、レンズ蓋１１０の開閉状態検出用のマグネット１１１およびＭＲセンサ１１３は有していない。
【００３９】
本実施形態では、図９に示すように、フリップ部１０２の先端部にフリップ部１０２の回転姿勢を検出するための第１マグネット１１６が設けられ、本体部１０４の先端部には第１ＭＲセンサ１１７が設けられている。第１マグネット１１６と第１ＭＲセンサ１１７は、図９（ａ）に示すように、フリップ部１０２を閉じたときに互いに対向する位置に配置されている。なお、第１ＭＲセンサ１１７の出力端子は、当該携帯型電子機器内の図示しない制御部の信号入力端子に接続されている。第１マグネット１１６および第１ＭＲセンサ１１７は、特許請求の範囲の姿勢検出手段に該当する。
【００４０】
また、図１０に示すように、フリップ部１０２の基端部にフリップ部１０２の回転姿勢を検出するための第２マグネット１１８が設けられ、開閉軸１０５の一方の端部には第２ＭＲセンサ１１９が設けられている。第２マグネット１１８とＭＲセンサ１１９は、図１０（ａ）に示すように、フリップ部１０２を回転軸１０６回りに回転させていない状態、すなわちフリップ部１０２を単に開いた状態または閉じた状態のときに互いに対向する位置に配置されている。なお、第２ＭＲセンサ１１９の出力端子は、当該携帯型電子機器内の図示しない制御部の信号入力端子に接続されている。第２マグネット１１８および第２ＭＲセンサ１１９は、特許請求の範囲の姿勢検出手段に該当する。
【００４１】
制御部は、第１ＭＲセンサ１１７の出力信号レベルに基づいてフリップ部１０２の開閉状態、すなわち開閉軸１０５回りの回転状態を検出する。図９（ａ）に示すように、フリップ部１０２が閉じられているとき、第１マグネット１１６と第１ＭＲセンサ１１７とが互いに最も接近し、第１ＭＲセンサ１１７によって検出される磁界が最大になるため、制御部は、第１ＭＲセンサ１１７の出力信号レベルが最大磁界検出レベルのときはフリップ部１０２が閉状態であると判断し、それ以外のときは開状態と判断する。
【００４２】
また、制御部は、第２ＭＲセンサ１１９の出力信号レベルに基づいてフリップ部１０２の回転軸１０６回りの回転状態を検出する。図１０（ａ）に示すように、フリップ部１０２が単に開かれた状態のとき、第２マグネット１１８と第２ＭＲセンサ１１９とが互いに最も接近し、第２ＭＲセンサ１１９によって検出される磁界が最大になるため、制御部は、第２ＭＲセンサ１１９の出力信号レベルが最大磁界検出レベルのときはフリップ部１０２が回転軸１０６回りに回転していないと判断し、それ以外のときは回転していると判断する。
【００４３】
さらに、制御部は、図７および図１０（ａ）に示すように、フリップ部１０２が開状態かつ回転軸１０６回りに回転していない状態の回転姿勢の時は、２つのカメラのうち第２カメラ１０９だけを動作させると共に、第２カメラ１０９で撮影中の画像１１４を画像表示部１０１に縦画面表示する。一方、フリップ部１０２が開状態かつ回転軸１０６回りに回転している状態の回転姿勢の時は、２つのカメラのうち第１カメラ１０８だけを動作させると共に、図８（ｂ）に示すように、第１カメラ１０８で撮影中の画像１１５を画像表示部１０１に横画面表示する。
【００４４】
以上説明したように、第３の実施形態の携帯型電子機器によれば、本体部１０４に対するフリップ部１０２の回転姿勢に応じて、第１カメラ１０８と第２カメラ１０９のいずれか一方が動作すると共に、画像表示部１０１による表示方法が切り換えるので、第１カメラ１０８と第２カメラ１０９の２つのカメラのうち、どちらのカメラを使用するのかを機器の使用形態に応じて使用者が判断したり、画像表示部１０１による表示方法を切り換えたりする手間を省くことができる。
【００４５】
［第４の実施の形態］
図１１および図１２に、本発明に係る携帯型電子機器の第４の実施形態を示す。第４の実施形態の携帯型電子機器は、図７〜図１０に示した第３の実施形態の構成に加えて、図３および図４に示した第１の実施形態におけるレンズ蓋１１０、レンズ蓋１１０の開閉状態を検出するためのマグネット１１１およびＭＲセンサ１１３を有している。
【００４６】
携帯型電子機器内の制御部は、ＭＲセンサ１１３の出力信号レベルに基づいてレンズ蓋１１０の開閉状態を検出し、レンズ蓋１１０が開状態の時は２つのカメラのうち第１カメラ１０８だけを動作させ、レンズ蓋１１０が閉状態の時は第２カメラ１０９だけを動作させるように制御する。また、第１および第２のＭＲセンサ１１７，１１９の出力信号レベルに基づいて本体部１０４に対するフリップ部１０２の回転姿勢を検出し、図１１（ａ）に示すように、フリップ部１０２が開状態かつ回転軸１０６回りに回転していない状態の回転姿勢の時は第２カメラ１０９で撮影中の画像１１４を画像表示部１０１に縦画面表示し、フリップ部１０２が開状態かつ回転軸１０６回りに回転している状態の回転姿勢の時は第１カメラ１０８で撮影中の画像１１５を画像表示部１０１に縦画面表示する。
【００４７】
以上説明したように、第４の実施形態の携帯型電子機器によれば、レンズ蓋１１０の開閉状態に応じて第１カメラ１０８と第２カメラ１０９のいずれか一方が動作すると共に、本体部１０４に対するフリップ部１０２の回転姿勢に応じて画像表示部１０１による表示方法が切り換わるため、第１カメラ１０８と第２カメラ１０９の２つのカメラのうちどちらのカメラを使用するのかを機器の使用形態に応じて使用者が判断したり、画像表示部１０１による表示方法を切り換えたりする手間を省くことができる。
【００４８】
［第５の実施の形態］
図１３に、本発明に係る携帯型電子機器の第５の実施形態を示す。第５の実施形態の携帯型電子機器は、図１〜図４に示した第１の実施形態の構成に加え、使用するカメラを手動で選択できる機能を備えている。
【００４９】
図１３（ａ）に示すように、画像表示部１０１にはカメラ選択画面１２０が表示される。カメラ選択画面１２０は、操作部１０３に設けられた所定の操作ボタンを操作すると表示される。カメラ選択画面１２０には、図１３（ｂ）に示すように、「ＴＶ電話カメラ」、「ビデオムービーカメラ」という２つの選択項目が表示され、操作部１０３に設けられた所定の操作ボタンを操作することにより、どちらかを選択できるようになっている。
【００５０】
図１３（ｂ）に示した例は、「ＴＶ電話カメラ」が網掛け表示され選択候補になっていることを示している。「ビデオムービーカメラ」は第１カメラ１０８に、「ＴＶ電話カメラ」は第２カメラ１０９にそれぞれ対応している。そして、レンズ蓋１１０の開閉状態に関係なく、カメラ選択画面１２０上で「ビデオムービーカメラ」が選択された場合は第１カメラ１０８が動作し、「ＴＶ電話カメラ」が選択された場合は第２カメラ１０９が動作するようになっている。
【００５１】
以上説明したように、第５の実施形態の携帯型電子機器によれば、使用するカメラをカメラ選択画面１２０上で選択することにより、レンズ蓋１１０の開閉状態に関係なく使用者の意志で第１カメラ１０８と第２カメラ１０９のいずれか一方を選択して動作させることができる。
【００５２】
［第６の実施の形態］
図１４に、本発明に係る携帯型電子機器の第６の実施形態を示す。第６の実施形態の携帯型電子機器は、図７〜図１０に示した第３の実施形態の構成に加え、画像表示部１０１による表示方法を手動で選択できる機能を備えている。
【００５３】
図１４（ａ）に示すように、画像表示部１０１には表示方法選択画面１２１が表示される。表示方法選択画面１２１は、操作部１０３に設けられた所定の操作ボタンを操作すると表示される。表示方法選択画面１２１には、図１４（ｂ）に示すように、「縦画面」、「横画面」という２つの選択項目が表示され、操作部１０３に設けられた所定の操作ボタンを操作することにより、どちらかを選択できるようになっている。
【００５４】
図１４（ｂ）に示した例は、「縦画面」が網掛け表示され選択候補になっていることを示している。「縦画面」は縦画面表示に、「横画面」は横画面表示にそれぞれ対応している。そして、本体部１０４に対するフリップ部１０２の回転姿勢に関係なく、表示方法選択画面１２１上で「縦画面」が選択された場合は、第１または第２カメラ１０８，１０９で撮影中の画像１２２が画像表示部１０１に縦画面表示され、「横画面」が選択された場合は横画面表示されるようになっている。
【００５５】
以上説明したように、第６の実施形態の携帯型電子機器によれば、表示方法選択画面１２１上で表示方法を選択することにより、本体部１０４に対するフリップ部１０２の回転姿勢に関係なく、使用者の意志で縦画面表示と横画面表示のいずれか一方の表示方法を選択することができる。
【００５６】
［第７の実施の形態］
図１５に、本発明に係る携帯型電子機器の第７の実施形態を示す。第７の実施形態の携帯型電子機器は、図１３に示した第５の実施形態の機能と、図１４に示した第６の実施形態の機能を兼ね備えている。
【００５７】
すなわち、図１５（ａ）に示すように、画像表示部１０１には、使用するカメラおよび画像表示部１０１による表示方法を選択するための機能選択画面１２３が表示される。機能選択画面１２３は、操作部１０３に設けられた所定の操作ボタンを操作すると表示される。機能選択画面１２３には、図１５（ｂ）に示すように、「縦画面」、「横画面」という２つの選択項目からなる表示方法選択画面１２３ａと、「ＴＶ電話カメラ」、「ビデオムービーカメラ」という２つの選択項目からなるカメラ選択画面１２３ｂとが表示され、操作部１０３に設けられた所定の操作ボタンを操作することにより、選択画面１２３ａ，１２３ｂ毎にどちらかの項目を選択できるようになっている。
【００５８】
図１５（ｂ）に示した例は、「縦画面」と「ＴＶ電話カメラ」が網掛け表示され選択候補になっていることを示している。このまま確定操作がなされると、たとえ図１５（ａ）の状態であっても第２カメラ１０９が動作し、第２カメラ１０９で撮影中の画像１２２が画像表示部１０１に縦画面表示される。
【００５９】
以上説明したように、第７の実施形態の携帯型電子機器によれば、使用するカメラおよび表示方法を機能選択画面１２３上で選択することにより、レンズ蓋１１０の開閉状態や本体部１０４に対するフリップ部１０２の回転姿勢に関係なく、使用者の意志で第１カメラ１０８と第２カメラ１０９のいずれか一方を選択して動作させると共に、縦画面表示と横画面表示のいずれか一方の表示方法を選択することができる。
【００６０】
［第８の実施の形態］
図１６に、本発明に係る携帯型電子機器の第８の実施形態を示す。第８の実施形態の携帯型電子機器は、図１〜図４に示した第１の実施形態の構成に加え、操作部１０３に設けられた所定の操作ボタンが押圧される毎に、使用するカメラを第１カメラ１０８と第２カメラ１０９の一方から他方に交互に切り換え、画像表示部１０１による表示方法を縦画面表示と横画面表示の一方から他方に交互に切り換える機能を備えている。図１６（ｂ）に動作例を示す。
【００６１】
図１６（ａ）に示した使用形態では初期状態で第２カメラ１０９が動作し、画像表示部１０１には、図１６（ｂ）の（１）のように、第２カメラ１０９で撮影中の画像１２４が縦画面表示される。レンズ蓋１１０を開状態にすると、動作するカメラが第１カメラ１０８に切り換わり、図１６（ｂ）の（２）のように、第１カメラ１０８で撮影中の画像１２５が縦画面表示される。
【００６２】
ここで所定の操作ボタンが押されると表示方法が切り換わり、図１６（ｂ）の（３）のように、第１カメラ１０８で撮影中の画像１２５が横画面表示される。さらに所定の操作ボタンが押されると、動作するカメラが第２カメラ１０９に切り換わり、図１６（ｂ）の（４）のように、第２カメラ１０９で撮影中の画像１２４が横画面表示される。さらに所定の操作ボタンが押されると、表示方法が切り換わり、図１６（ｂ）の（１）のように初期状態に戻り、第２カメラ１０９で撮影中の画像１２４が縦画面表示される。
【００６３】
以上説明したように、第８の実施形態の携帯型電子機器によれば、操作部１０３に設けられた所定の操作ボタンを押すことにより、使用するカメラおよび画像表示部１０１による表示方法を使用者の意志で順次切り換えることができる。
【００６４】
［第９の実施の形態］
図１７に、本発明に係る携帯型電子機器の第９の実施形態を示す。第９の実施形態の携帯型電子機器は、図１６に示した第８の実施形態の構成に加え、前回の機器使用時に最後に選択されたカメラおよび画像表示部１０１における表示方法を次回の機器使用時の初期状態とする機能を有している。
【００６５】
上記機能を実現するために、本実施形態の携帯型電子機器は、電源が遮断される直前まで動作していたカメラおよび画像表示部１０１における表示方法を初期設定情報として記憶しておくための図示しない不揮発性メモリ（特許請求の範囲の記憶手段に該当する。）を内蔵している。そして、携帯型電子機器内の制御部は、電源が投入されると不揮発性メモリから初期設定情報を読み出し、その情報に従って、使用するカメラおよび画像表示部１０１による表示方法を選択する。
【００６６】
以上説明したように、第９の実施形態の携帯型電子機器によれば、第８の実施形態と同様に、操作部１０３に設けられた所定の操作ボタンを押すことにより、使用するカメラおよび画像表示部１０１による表示方法を使用者の意志で順次切り換えることができ、しかも使用者が最後に選択したカメラおよび画像表示部１０１による表示方法を次回機器を使用する際に初期状態として再現できる。
【００６７】
なお、本発明に係る携帯型電子機器は上記第１〜第９の実施形態に限定されるものではない。例えば、上記説明ではマグネットの磁界を検出するためにＭＲセンサを使用したが、これに代えてホール素子を使用してもよい。また、液晶表示パネルに代えてＥＬ（エレクトロルミネッセンス）表示パネルを画像表示部として使用することもできる。
【００６８】
また、図１３〜図１５で説明した選択画面の表示形態や表示内容、選択の仕方は一例に過ぎず、これら以外にも様々な態様での実施が可能である。また、図１６および図１７で説明したカメラの切り換え順序や表示方法の切り換え順序、切り換えの仕方などについても、他に様々な態様での実施が可能である。
【００６９】
【発明の効果】
以上説明したように、本発明に係る携帯型電子機器よれば、フリップ部と本体部の相互の回転状態やレンズ蓋の開閉状態に応じて、使用するカメラの切り換えや画像表示部による表示方法の切り換えなどが可能な使い勝手の良い携帯型電子機器を実現することができる。また、使用していないカメラのレンズが第三者に向けられるのを防止して、第三者に不快感を与えないようにできる携帯型電子機器を実現できる。
【図面の簡単な説明】
【図１】（ａ）は本発明の第１の実施形態における携帯型電子機器を携帯電話またはテレビ電話として使用するときの状態を示す正面図、（ｂ）は側面図である。
【図２】（ａ）は本発明の第１の実施形態における携帯型電子機器をビデオカメラとして使用するときの状態を示す側面図、（ｂ）は正面図である。
【図３】図１および図２に示す携帯型電子機器のカメラ蓋が閉じられている状態を示す拡大図である。
【図４】図１および図２に示す携帯型電子機器のカメラ蓋が開かれている状態を示す拡大図である。
【図５】（ａ）は本発明の第２の実施形態における携帯型電子機器を携帯電話またはテレビ電話として使用するときの状態を示す正面図、（ｂ）は側面図である。
【図６】（ａ）は本発明の第２の実施形態における携帯型電子機器をビデオカメラとして使用するときの状態を示す側面図、（ｂ）は正面図である。
【図７】（ａ）は本発明の第３の実施形態における携帯型電子機器を携帯電話またはテレビ電話として使用するときの状態を示す正面図、（ｂ）は側面図である。
【図８】（ａ）は本発明の第３の実施形態における携帯型電子機器をビデオカメラとして使用するときの状態を示す側面図、（ｂ）は正面図である。
【図９】（ａ）は図７および図８に示す携帯型電子機器を閉じた状態を示す側面図、（ｂ）は開いた状態を示す側面図である。
【図１０】（ａ）は本発明の第３の実施形態における携帯型電子機器を携帯電話またはテレビ電話として使用するときの状態を示す正面図、（ｂ）は本発明の第３の実施形態における携帯型電子機器をビデオカメラとして使用するときの状態を示す側面図である。
【図１１】（ａ）は本発明の第４の実施形態における携帯型電子機器を携帯電話またはテレビ電話として使用するときの状態を示す正面図、（ｂ）は側面図である。
【図１２】（ａ）は本発明の第４の実施形態における携帯型電子機器をビデオカメラとして使用するときの状態を示す側面図、（ｂ）は正面図である。
【図１３】（ａ）は本発明の第５の実施形態における携帯型電子機器を携帯電話またはテレビ電話として使用するときの状態を示す正面図、（ｂ）は（ａ）の携帯型電子機器の画像表示部に表示されるカメラ選択画面の表示例を示す説明図である。
【図１４】（ａ）は本発明の第６の実施形態における携帯型電子機器を携帯電話またはテレビ電話として使用するときの状態を示す正面図、（ｂ）は（ａ）の携帯型電子機器の画像表示部に表示される表示方法選択画面の表示例を示す説明図である。
【図１５】（ａ）は本発明の第７の実施形態における携帯型電子機器を携帯電話またはテレビ電話として使用するときの状態を示す正面図、（ｂ）は（ａ）の携帯型電子機器の画像表示部に表示される機能選択画面の表示例を示す説明図である。
【図１６】（ａ）は本発明の第８の実施形態における携帯型電子機器を携帯電話またはテレビ電話として使用するときの状態を示す正面図、（ｂ）は（ａ）の携帯型電子機器において手動でカメラおよび表示方法を切り換えた際の状態遷移図である。
【図１７】（ａ）は本発明の第９の実施形態における携帯型電子機器を携帯電話またはテレビ電話として使用するときの状態を示す正面図、（ｂ）は（ａ）の携帯型電子機器において手動でカメラおよび表示方法を切り換えた際の状態遷移図である。
【図１８】従来の携帯型電子機器をビデオカメラとして使用するときの状態を示す正面図である。
【図１９】従来の携帯型電子機器を携帯電話またはテレビ電話して使用するときの状態を示す正面図である。
【符号の説明】
１０１  画像表示部
１０２  フリップ部
１０３  操作部
１０４  本体部
１０５  開閉軸
１０６  回転軸
１０７  ２軸ヒンジ部
１０８  第１カメラ
１０９  第２カメラ
１１０  レンズ蓋
１１１  マグネット
１１２  嵌合穴
１１３  ＭＲセンサ
１１６  第１マグネット
１１７  第１ＭＲセンサ
１１８  第２マグネット
１１９  第２ＭＲセンサ
【図１】
2004214988.tif 000003
【図２】
2004214988.tif 000004
【図３】
2004214988.tif 000005
【図４】
2004214988.tif 000006
【図５】
2004214988.tif 000007
【図６】
2004214988.tif 000008
【図７】
2004214988.tif 000009
【図８】
2004214988.tif 000010
【図９】
2004214988.tif 000011
【図１０】
2004214988.tif 000012
【図１１】
2004214988.tif 000013
【図１２】
2004214988.tif 000014
【図１３】
2004214988.tif 000015
【図１４】
2004214988.tif 000016
【図１５】
2004214988.tif 000017
【図１６】
2004214988.tif 000018
【図１７】
2004214988.tif 000019
【図１８】
2004214988.tif 000020
【図１９】
2004214988.tif 000021